(57)【要約】【課題】流動体の容器外部への漏れを完全に防止する流動体吐出ポンプを提供することを目的とする。【解決手段】ノズルヘッド２０を構成する管状部材２１は、流入部２１１と、流出部２１２と、凸部２１３と、係合部２１４とを有する。また、ノズルヘッド２０を構成する案内部材２２は、押圧部２２１と、開口部２２２と、案内部２２３と、溝部２２４とを有する。管状部材２１と案内部材２２とは、管状部材２１における係合部２１４が案内部材２２における溝部２２４に嵌入される。これにより、管状部材２１は、案内部材２２に対して管状部材２１の軸心を中心として回転可能となるような状態で支持される。【選択図】        図１０
2005021827.tif 000002
【特許請求の範囲】
【請求項１】
流動体貯留部の上方に配設されたノズルヘッドを押圧することにより、前記流動体貯留部内に貯留された流動体を前記ノズルヘッドから流出させるための流動体吐出ポンプを備える流動体容器において、
前記ノズルヘッドは、
前記流動体吐出ポンプから流動体を流入させるための流入部と、前記流入部から流入した流動体を外部へ流出させるための流出部とを有し、前記流入部と前記流動体吐出ポンプとの間で流動体を流通可能とする開放状態と、前記流入部と前記流動体吐出ポンプとの間で流動体の流通を遮断する閉止状態とを切替可能な管状部材と、
前記管状部材を支持し、前記管状部材の開放状態と閉止状態との切替を案内する案内部を有する案内部材と、
を備えることを特徴とする流動体容器。
【請求項２】
請求項１に記載の流動体容器において、
前記案内部材には、前記開放状態において、前記管状部材の流入部と連通する開口部が形成される流動体容器。
【請求項３】
請求項１または請求項２に記載の流動体容器において、
前記管状部材を当該管状部材の軸心を中心として回転させることにより、前記開放状態と前記閉止状態とを切替える流動体容器。
【請求項４】
請求項３に記載の流動体容器において、
前記案内部材は、前記開放状態の位置で前記管状部材の回転を停止させるための第１規制部と、前記閉止状態の位置で前記管状部材の回転を停止させるための第２規制部と、
を有する流動体容器。
【請求項５】
請求項１乃至請求項４のいずれかに記載の流動体容器において、
前記流動体吐出ポンプは、
前記流動体貯留部に貯留される流動体を流入させるための樹脂製の流入弁機構と、
当該流入弁機構から流入した流動体を流出させるための樹脂製の流出弁機構とを備える流動体容器。
【請求項６】
請求項１乃至請求項５のいずれかに記載の流動体容器において、
前記流動体吐出ポンプは、
流入口と流出口とを有し、前記ノズルヘッドにより押圧され、その内部に比較的大量の流動体を収納する拡張姿勢から、その内部に比較的少量の流動体を収納する縮小姿勢に変形する樹脂製の蛇腹部材を備える流動体容器。
【発明の詳細な説明】
【０００１】
【発明の属する技術分野】
この発明は、流動体貯留部の上方に配設されたノズルヘッドを押圧することにより、前記流動体貯留部内に貯留された流動体を前記ノズルヘッドから流出させるための流動体容器に関する。
【０００２】
【従来の技術】
このような流動体吐出ポンプとしては、例えば特許文献１に記載されるように、流動体を流出するためのノズルヘッドと、流動体を貯留する流動体貯留部と、この流動体貯留部の上方に配設されたシリンダと、ノズルヘッドを押圧することによりシリンダ内を往復移動可能なピストンと、流動体貯留部に貯留された流動体をピストンの上昇動作に伴ってシリンダ内に流入させるための流入弁機構と、シリンダ内に流入した流動体をピストンの下降動作に伴ってノズルヘッドに流出させるための流出弁機構とを備えたものが使用されている。
【０００３】
【特許文献１】
特開２００１−２１３４６５号公報
【０００４】
【発明が解決しようとする課題】
しかしながら、特許文献１に記載される流動体ポンプは、ノズルヘッドへの押圧を解除した後においても、一旦ノズルヘッド内に流入した流動体が外部へ漏れる恐れがある。このような現象は、流動体吐出ポンプのコストを低減するために樹脂製の弁機構を使用したときに特に問題となる。
【０００５】
この発明は、以上のような課題を解決するためになされたものであり、流動体の容器外部への漏れを完全に防止する流動体吐出ポンプを提供することを目的とする。
【０００６】
【課題を解決するための手段】
請求項１に記載の発明は、流動体貯留部の上方に配設されたノズルヘッドを押圧することにより、前記流動体貯留部内に貯留された流動体を前記ノズルヘッドから流出させるための流動体吐出ポンプを備える流動体容器において、前記ノズルヘッドは、前記流動体吐出ポンプから流動体を流入させるための流入部と、前記流入部から流入した流動体を外部へ流出させるための流出部とを有し、前記流入部と前記流動体吐出ポンプとの間で流動体を流通可能とする開放状態と、前記流入部と前記流動体吐出ポンプとの間で流動体の流通を遮断する閉止状態とを切替可能な管状部材と、前記管状部材を支持し、前記管状部材の開放状態と閉止状態との切替を案内する案内部を有する案内部材とを備えることを特徴とする。
【０００７】
請求項２に記載の発明は、請求項１に記載の流動体容器において、前記案内部材には、前記開放状態において、前記管状部材の流入部と連通する開口部が形成される。
【０００８】
請求項３に記載の発明は、請求項１または請求項２に記載の流動体容器において、前記管状部材を当該管状部材の軸心を中心として回転させることにより、前記開放状態と前記閉止状態とを切替える。
【０００９】
請求項４に記載の発明は、請求項３に記載の流動体容器において、前記案内部材は、前記開放状態の位置で前記管状部材の回転を停止させるための第１規制部と、前記閉止状態の位置で前記管状部材の回転を停止させるための第２規制部とを有する。
【００１０】
請求項５に記載の発明は、請求項１乃至請求項４のいずれかに記載の流動体容器において、前記流動体吐出ポンプは、前記流動体貯留部に貯留される流動体を流入させるための樹脂製の流入弁機構と、当該流入弁機構から流入した流動体を流出させるための樹脂製の流出弁機構とを備える。
【００１１】
請求項６に記載の発明は、請求項１乃至請求項５のいずれかに記載の流動体容器において、前記流動体吐出ポンプは、流入口と流出口とを有し、前記ノズルヘッドにより押圧され、その内部に比較的大量の流動体を収納する拡張姿勢から、その内部に比較的少量の流動体を収納する縮小姿勢に変形する樹脂製の蛇腹部材を備える。
【００１２】
【発明の実施の形態】
以下、この発明の実施の形態について図面に基づいて説明する。図１および図２は、この発明に係る流動体容器を示す縦断面図である。
【００１３】
この流動体容器は、美容の分野で使用されるヘアージェルやクレンジングジェル等の一般にジェルと呼称されるゲル（ｇｅｌ）、または、栄養クリームやマッサージクリーム等のクリーム状物、あるいは、化粧水等の液体などを貯留するための化粧品用の容器として使用されるものである。なお、この流動体容器を、一般の薬品や溶剤あるいは食品等の容器として使用してもよい。この明細書においては、高粘度の液体や半流動体あるいはゾルがジェリー状に固化したゲルやクリーム状物等と通常の液体とを含めて流動体と呼称する。
【００１４】
この発明に係る流動体容器は、流動体ポンプ１０と、流動体容器内部と外部との間で流動体を流通可能とする開放状態と、流動体の流通を遮断する閉止状態とを切替える可能なノズルヘッド２０と、その内部に流動体を貯留する流動体貯留部４０とから構成される。
【００１５】
なお、この明細書においては、図１および図２における上下方向を流動体容器における上下方向と規定する。すなわち、この発明に係る流動体容器においては、図１に示すノズルヘッド２０側を上方向とし、ピストン部材４２側を下方向とする。
【００１６】
流動体貯留部４０は、円筒状のシリンダ部材４１と、このシリンダ部材４１内を上下方向に移動するピストン部材４２と、複数の通気孔４３ａが形成される内蓋４３と、外蓋４４とを有している。この流動体貯留部４０におけるシリンダ部材４１と流動体吐出ポンプ１０とは、パッキング１７を介して液密な状態で接続されている。なお、この流動体吐出ポンプ１０のシリンダ部材と接続される流入弁機構１１に、十分な弾力性がある場合においては、パッキング１７を省略してもよい。
【００１７】
外蓋４４は、シリンダ部材４１の下部に内蓋４３を挟んだ状態で嵌着される。内蓋４３には、流動体容器内のピストン部材４２の最下位を位置決めするための底上部４３ｂが形成される。この底上部４３ｂの高さを変化させることにより、流動体容器内に貯留可能な流動体量を変化させることができる。
【００１８】
また、外蓋４４の中央部には穴４４ａが形成される。このため、流動体容器外部と内蓋４３の通気孔４３ａとの間で空気が流通可能となっている。
【００１９】
このピストン部材４２は、シリンダ部材４１内において高い液密性を得ながら滑らかに移動する構成であることが要求される。このためのピストン部材４２の構成については、後ほど詳細に説明する。
【００２０】
この流動体容器においては、開放状態に切り替えられたノズルヘッド２０を押圧して上下方向に往復移動させることにより、後程詳細に説明する流動体吐出ポンプ１０の作用で、流動体貯留部４０内に貯留された流動体がノズルヘッド２０から流出される。そして、流動体貯留部４０内の流動体の減少に伴って、ピストン部材４２は、図２に示すように、シリンダ部材４１内をノズルヘッド２０方向に移動する。
【００２１】
図３は、流動体吐出ポンプ１０と閉止状態におけるノズルヘッド２０とを示す縦断面図であり、図４は、流動体吐出ポンプ１０と開放状態におけるノズルヘッド２０とを示す縦断面図である。
【００２２】
流動体吐出ポンプ１０は、流入口１６ａと流出口１６ｂとを有する樹脂製の蛇腹部材１６と、蛇腹部材１６の流入口１６ａに固定される樹脂製の流入弁機構１１と、蛇腹部材１６の流出口１６ｂに固定される樹脂製の流出弁機構１２とを備える。ここで、流入弁機構１１は、流動体貯留部４０に貯留された流動体を蛇腹部材１６の拡張動作に伴って、流動体吐出ポンプ１０内に流入させるためのものであり、流出弁機構１２は、流動体吐出ポンプ１０内に流入した流動体を蛇腹部材１６の縮小動作に伴って、ノズルヘッド２０に流出させるためのものである。
【００２３】
図５（ａ）は、流動体吐出ポンプ１０における流入弁機構１１を構成する流出弁座部材１１１を示す正面図、図５（ｂ）はその側断面図であり、図５（ｃ）はその裏面図である。図６（ａ）は、流動体吐出ポンプ１０における流入弁機構１１を構成する流出弁座部材１１２を示す正面図、図６（ｂ）はその断面図であり、図６（ｃ）はその裏面図である。
【００２４】
図５に示すように、流入弁座部材１１１は、流動体貯留部４０内の流動体を流入させるための開口部１１１ａと、後述する流入弁部材１１２と結合する結合部１１１ｂとを備える。
【００２５】
図６に示すように、流入弁部材１１２は、流入弁座部材１１１の開口部１１１ａと対応する形状を有する弁体１１２ａと、流入弁座部材１１１の結合部１１１ｂに固定される支持部１１２ｂと、弁体１１２ａと支持部１１２ｂとを連結する４個の連結部１１２ｃとを備える。この４個の連結部１１２ｃは、各々、一対の屈曲部１１２ｄを有することによりより好適な可撓性を有する。
【００２６】
図７（ａ）は、流動体吐出ポンプ１０における流出弁機構１２を構成する流出弁座部材１２１を示す平面図、図７（ｂ）はその側面図であり、図７（ｃ）はその裏面図である。また、図８（ａ）は、流動体吐出ポンプ１０における流出弁機構１２を構成する流出弁部材１２２を示す平面図、図８（ｂ）はその側面図であり、図８（ｃ）はその裏面図である。
【００２７】
図７に示すように、流出弁座部材１２１は、開口部１２１ａと、後述する流出弁部材１２２と結合する結合部１２１ｂと、流動体吐出ポンプ１０内の流動体を流入させるための流入部１２１ｃとを備える。
【００２８】
図８に示すように、流出弁部材１２２は、流出弁座部材１２１の開口部１２１ａ内面と当接する可撓性のある略皿状の弁部１２１ａと、流出弁座部材１２１の結合部１２１ｂと結合する基部１２２ｂとを備える。なお、基部１２２ｂには流動体を流入させるための通過溝１２２ｃが形成されている。
【００２９】
図９は、閉止状態におけるノズルヘッド２０の一部を破断して示す説明図であり、図１０は、開放状態におけるノズルヘッド２０の一部を破断して示す説明図である。
【００３０】
ノズルヘッド２０は、管状部材２１と、案内部材２２とを有する。
【００３１】
管状部材２１は、後述する流動体吐出ポンプ１０における流出弁機構１２から流動体を流入させるための流入部２１１と、流入部２１１から流入した流動体を外部へ流出させるための流出部２１２と、案内部材２２により案内される凸部２１３と、係合部２１４とを有する。
【００３２】
案内部材２２は、押圧部２２１と、開放状態において管状部材２１の流入部２１１と連通する開口部２２２と、管状部材２１を支持し、後述する管状部材２１の開放状態と閉止状態との切替を案内する案内部２２３と、管状部材２１の係合部２１４と対応する形状の溝部２２４とを有する。
【００３３】
管状部材２１と案内部材２２とは、管状部材２１における係合部２１４が案内部材２２における溝部２２４に嵌入される。これにより、管状部材２１は、案内部材２２に対して管状部材２１の軸心を中心として回転可能となるような状態で支持される。
【００３４】
以上のような構成を有することにより、ノズルヘッド２０を、管状部材２１の流入部２１１と案内部材２２の開口部２２２とが連通し、管状部材２１の流入部２１１と後述する流出弁機構１２との間で流動体を流通可能とする開放状態と、流入部２１１と流出弁機構１２との間で流動体の流通を遮断する閉止状態とに切替えることができる。このため、ノズルヘッド２０を閉止状態とした場合には、流動体の容器外部への漏れを完全に防止することが可能となる。
【００３５】
図１１は、閉止状態におけるノズルヘッド２０の正面図であり、図１２は、開放状態におけるノズルヘッド２０の正面図である。
【００３６】
ノズルヘッド２０の開放状態と閉止状態との切替は、管状部材２１を案内部材２２に対して、管状部材２１の軸心を中心として回転させることにより行われる。このとき、管状部材２１の凸部２１３は、案内部材２２の案内部２２３に案内される。
【００３７】
また、この案内部材２２は、案内部２２３に第１規制部２２３ａと、第２規制部２２３ｂと有する。そして、この第１規制部２２３ａは、管状部材２１の開放状態の位置において、管状部材２１の凸部２１３と当接し、管状部材２１の回転を停止させる。また、第２規制部２２３ｂは、管状部材２１の閉止状態の位置において、管状部材２１の凸部２１３と当接し、管状部材２１の回転を停止させる。これらの第１規制部２２３ａおよび第２規制部２２３ｂにより、開放状態と閉止状態との切替を簡易に行うことができる。
【００３８】
次に、上述した流動体容器における流動体の吐出動作について説明する。
【００３９】
図１３および図１４は、流動体吐出ポンプ１０と開放状態におけるノズルヘッド２０とを示す縦断面図である。このうち、図１３は、ノズルヘッド２０における押圧部２２１が押圧されることにより、蛇腹部材１６が、その内部に比較的大量の流動体を収納する拡張姿勢から、その内部に比較的少量の流動体を収納する縮小姿勢に変形しつつある状態を、図１４は、ノズルヘッド２０における押圧部２２１への押圧が解除されることにより、蛇腹部材１６が、再び拡張姿勢に変形しつつある状態を示している。
【００４０】
図１３に示すように、ノズルヘッド２０における押圧部２１２が押圧されたときには、蛇腹部材１６内の容積が縮小し、流動体吐出ポンプ１０内が加圧される。これにより、流入弁部材１１２の弁体１１２ａが流入弁座部材１１１の開口部１１１ａと当接する位置に配置され、開口部１１１ａは閉止されるとともに、流出弁部材１２２の弁体１２２ａが流出弁座部材１２１の開口部１２１ａから離隔する位置に配置され、開口部１２１ａは開放される。このため、流動体吐出ポンプ１０内の流動体が、開放状態におけるノズルヘッド２０の流出部２１２へ流出する。
【００４１】
また、図１４に示すように、ノズルヘッド２０における押圧部２２１への押圧が解除されたときには、蛇腹部材１６の復元力により、蛇腹部材１６内の容積が拡張し、流動体吐出ポンプ１０内が減圧される。これにより、流入弁部材１１２の弁体１１２ａが流入弁座部材１１１の開口部１１１ａから離隔する位置に配置されるとともに、流出弁部材１２２の弁体１２２ａが流出弁座部材１２１の開口部１２１ａと当接する位置に配置される。このため、流動体貯留部４０内の流動体が流動体吐出ポンプ１０内へ流入する。
【００４２】
次に、流動体貯留部４０の構造について説明する。
【００４３】
この流動体貯留部４０に使用されるシリンダ部材４１は、射出成形により生産された樹脂からなる。このため、図１および図２に示されるように、シリンダ部材４１は、その生産過程の便宜等から、その上部が先細となるテーパ形状を有する。
【００４４】
図１５（ａ）は流動体貯留部４０を構成するピストン部材４２を示す平面図、図１５（ｂ）はその正面図であり、図１５（ｃ）は、図１５（ａ）におけるＡ−Ａ断面を示す断面図である。
【００４５】
このピストン部材４２の上部には、シリンダ部材４１の内周部と当接する液密部４２１が形成されており、ピストン部材４２の下部には、シリンダ部材４１の内周部と当接する液密部４２２が形成されている。すなわち、このピストン４２の外周面には、各々がシリンダ部材４１の内周面と当接する一対の液密部４２１、４２２が一定の距離だけ離隔した位置に配置されていることになる。
【００４６】
そして、液密部４２１におけるシリンダ部材４１の内周面との当接部は、近接配置された一対の凸部４２１ａ、４２１ｂから構成されており、液密部４２２におけるシリンダ部材４１の内周面との当接部は、近接配置された一対の凸部４２２ａ、４２２ｂから構成されている。
【００４７】
このピストン部材４２においては、一定の距離だけ離隔した位置に配置された一対の液密部４２１、４２２の作用により、ピストン部材４２に対する応力の方向にかかわらず、ピストン部材４２の軸芯とシリンダ部材４１の軸芯を常に一致させることができ、ピストン部材４２をシリンダ部材４１内においてスムースに移動させることが可能となる。
【００４８】
また、ピストン部材４２には、シリンダ部材４１内での移動方向と垂直な平面において、シリンダ部材４１の内周面との当接部としての液密部４２１、４２２と同心円状の屈曲部４２３ａ、４２３ｂ、４２３ｃが形成される。このため、このピストン部材４２は、シリンダ部材４１内での移動方向と垂直な平面において中央部から外周方向への付勢力を有し、シリンダ部材４１の内周形状に合わせて伸縮可能となっている。したがって、シリンダ部材４１がノズルヘッド方向に向けて先細となるテーパ形状を有する場合や、シリンダ部材４１の精度が低く、凹凸のある内面を有する場合等においても、シリンダ部材４１とピストン部材４２とが、シリンダ部材４１の内径の変化によることなく十分な気密性を確保するとが可能となる。
【００４９】
さらに、ピストン部材４２は、その中央部より上部側において、その中央部より下部側よりも多くの屈曲部が形成されているため、図２に示すように、ピストン部材４２がシリンダ部材４１での最上昇位置に移動したときに、流動体貯留部４０内に残留する流動体を比較的少量とすることが可能となる。
【００５０】
図１６は、他の実施形態における流動体貯留部４０を構成するピストン部材４２を示す説明図である。先に説明したこの発明に係る流動体容器におけるピストン部材４２には、３個の屈曲部４２３ａ、４２３ｂ、４２３ｃが形成されているが、図１６に示すように、５個の屈曲部４２３ａ、４２３ｂ、４２３ｃ、４２３ｄ、４２３ｅが形成されていてもよい。また、５個以外の複数又は単数の屈曲部が形成されていてもよい。
【００５１】
図１７および図１８は、さらに他の実施形態における流動体容器を示す縦断面図である。先に説明したこの発明に係る流動体容器におけるシリンダ部材４１は、内面にテーパ形状を有しているが、図１７および図１８に示すように、テーパ形状を有しないシリンダ部材を使用した場合においても、図１５および図１６に示すピストン部材４２を使用してもよい。
【００５２】
【発明の効果】
請求項１および請求項２に記載の発明によれば、ノズルヘッドが、流入部と流動体吐出ポンプとの間で流動体を流通可能とする開放状態と、流入部と流動体吐出ポンプとの間で流動体の流通を遮断する閉止状態とを切替可能な管状部材と、管状部材の開放状態と閉止状態との切替を案内する案内部を有する案内部材とを備えることから、流動体の容器外部への漏れを完全に防止することができる。
【００５３】
請求項３に記載の発明によれば、管状部材を当該管状部材の軸心を中心として回転させることにより、開放状態と閉止状態とを切替えることから、簡易な構成でありながら、流動体の容器外部への漏れを完全に防止することができる。
【００５４】
請求項４に記載の発明によれば、案内部材は、開放状態の位置で管状部材の回転を停止させるための第１規制部と、閉止状態の位置で管状部材の回転を停止させるための第２規制部とを有することから、開放状態と閉止状態との切替を簡易に行うことができる。
【００５５】
請求項５に記載の発明によれば、流動体吐出ポンプは、樹脂製の流入弁機構と、樹脂製の流出弁機構とを備える流動体吐出ポンプに対して、開放状態と閉止状態とを切替可能なノズルヘッド備えることから、気密性の低い樹脂製の弁機構を使用する場合においても、流動体の容器外部への漏れを完全に防止することができる。
【００５６】
請求項６に記載の発明によれば、流動体吐出ポンプは、流入口と流出口とを有し、ノズルヘッドにより押圧され、その内部に比較的大量の流動体を収納する拡張姿勢から、その内部に比較的少量の流動体を収納する縮小姿勢に変形する樹脂製の蛇腹部材を備えることから、簡易な構成でありながら、流動体の容器外部への漏れを完全に防止することができる。
【図面の簡単な説明】
【図１】この発明に係る流動体容器を示す縦断面図である。
【図２】この発明に係る流動体容器を示す縦断面図である。
【図３】流動体吐出ポンプ１０と閉止状態におけるノズルヘッド２０とを示す縦断面図である。
【図４】流動体吐出ポンプ１０と開放状態におけるノズルヘッド２０とを示す縦断面図である。
【図５】流動体吐出ポンプ１０における流入弁機構１１を構成する流出弁座部材１１１を示す説明図である。
【図６】流動体吐出ポンプ１０における流入弁機構１１を構成する流出弁座部材１１２を示す説明図である。
【図７】流動体吐出ポンプ１０における流出弁機構１２を構成する流出弁座部材１２１を示す説明図である。
【図８】流動体吐出ポンプ１０における流出弁機構１２を構成する流出弁部材１２２を示す説明図である。
【図９】閉止状態におけるノズルヘッド２０の分解の様子を示す説明図である。
【図１０】開放状態におけるノズルヘッド２０の分解の様子を示す説明図である。
【図１１】閉止状態におけるノズルヘッド２０の正面図である。
【図１２】開放状態におけるノズルヘッド２０の正面図である。
【図１３】流動体吐出ポンプ１０と開放状態におけるノズルヘッド２０とを示す縦断面図である。
【図１４】流動体吐出ポンプ１０と開放状態におけるノズルヘッド２０とを示す縦断面図である。
【図１５】流動体貯留部４０を構成するピストン部材４２を示す説明図である。
【図１６】他の実施形態における流動体貯留部４０を構成するピストン部材４２を示す説明図である。
【図１７】他の実施形態における流動体容器を示す縦断面図である。
【図１８】他の実施形態における流動体容器を示す縦断面図である。
【符号の説明】
１０      流動体吐出ポンプ
１１      流入弁機構
１２      流出弁機構
１６      蛇腹部材
１６ａ    流入口
１６ｂ    流出口
１７      パッキング
２０      ノズルヘッド
２１      管状部材
２２      案内部材
４０      流動体貯留部
４１      シリンダ部材
４２      ピストン部材
４３      内蓋
４４      外蓋
１１１    流入弁座部材
１１１ａ  開口部
１１１ｂ  結合部
１１２    流入弁部材
１１２ａ  弁体
１１２ｂ  支持部
１１２ｃ  連結部
１２１    流出弁座部材
１２１ａ  開口部
１２１ｂ  結合部
１２１ｃ  流入部
１２２    流入弁部材
１２２ａ  弁体
１２２ｂ  基部
２１１    流入部
２１２    流出部
２１３    凸部
２１４    係合部
２１５    つまみ部
２２１    押圧部
２２２    開口部
２２３    案内部
２２３ａ  第１規制部
２２３ｂ  第２規制部
２２４    溝部
４２１    液密部
４２１ａ  凸部
４２１ｂ  凸部
４２２    液密部
４２２ａ  凸部
４２２ｂ  凸部
４２３    屈曲部
【図１】
2005021827.tif 000003
【図２】
2005021827.tif 000004
【図３】
2005021827.tif 000005
【図４】
2005021827.tif 000006
【図５】
2005021827.tif 000007
【図６】
2005021827.tif 000008
【図７】
2005021827.tif 000009
【図８】
2005021827.tif 000010
【図９】
2005021827.tif 000011
【図１０】
2005021827.tif 000012
【図１１】
2005021827.tif 000013
【図１２】
2005021827.tif 000014
【図１３】
2005021827.tif 000015
【図１４】
2005021827.tif 000016
【図１５】
2005021827.tif 000017
【図１６】
2005021827.tif 000018
【図１７】
2005021827.tif 000019
【図１８】
2005021827.tif 000020